【手続補正書】
【提出日】平成18年9月29日(2006.9.29)
【手続補正１】
【補正対象書類名】明細書
【補正対象項目名】特許請求の範囲
【補正方法】変更
【補正の内容】
【特許請求の範囲】
【請求項１】  オレフィン類の重合において有用な、
【化１】
2002526609.tif 000001
を含んで成る触媒組成物：但し、上記の式において、
Catは、遷移金属二座配位化合物、遷移金属三座配位化合物およびそれらの混合物より成る群から選ばれる遷移金属化合物のカチオン性残基を表し；
Ｔは無機酸化物を表し；
Ｓｉはケイ素原子を表し；
Ｒ′およびＲ″は、各々独立に、水素、非置換または置換Ｃ1−Ｃ20ヒドロカルビル基を表し；
Ｄは非置換または置換Ｃ1−Ｃ20ヒドロカルビレン基を表し；
Ｍはホウ素、アルミニウム、ガリウム、インジウム、タリウムおよびそれらの混合物より成る群から選ばれる原子を表し；
Ｑは、各々独立に、非置換または置換Ｃ1−Ｃ20ヒドロカルビル基を表し；
Ｏは酸素を表し；
ｎおよびｍは、ｎ×ａの積がｍ×ｂの積に実質的に等しくなるような各々正の整数であり；そして
ａおよびｂは１、２または３の整数である。
【請求項２】  Catが式：
【化２】
2002526609.tif 000002
で表される遷移金属二座配位化合物のカチオン性残基を表す、請求項１に記載の触媒組成物：但し、上記の式において、
Ａは、各々独立に、酸素、窒素、燐または硫黄を表し；
Ｚは元素の周期律表第ＩＶ族または第ＶＩＩＩ族の遷移金属を表し；
Ｌは、各々独立に、水素、ハロ、置換および非置換ヒドロカルビル基より成る群から選ばれるアニオン性配位子基を表すか、または両Ｌ基が一緒になって、Ｚと共に環状構造を構成しているヒドロカルビル基を表す；
各Ａ原子を互いに結合している線はヒドロカルビレン基を表し；そして
各ＡとＺとの間の線は供与結合または共有結合を表す。
【請求項３】  Ａが各々窒素であり、Ｌが各々非置換ヒドロカルビル基、ヒドロカルビルオキシ基およびハロゲン原子より成る群から選ばれるか、または両Ｌは、一緒になって、Ｚと共に３〜７員の環構造を形成しているヒドロカルビレン基を表す、請求項２に記載の触媒。
【請求項４】  ＺがＦｅ、Ｃｏ、Ｎｉ、Ｒｕ、Ｒｈ、Ｐｄ、Ｏｓ、Ｉｒ、およびＰｔより成る群から選ばれる、請求項３に記載の触媒。
【請求項５】  ＺがＮｉ、Ｐｄ、ＦｅおよびＣｏより成る群から選ばれる、請求項４に記載の触媒。
【請求項６】  ＺがＦｅおよびＣｏより成る群から選ばれる、請求項４に記載の触媒。
【請求項７】  ＺがＮｉおよびＰｄより成る群から選ばれる、請求項４に記載の触媒。
【請求項８】  Ｌが各々ハロゲン原子を表し、そして触媒組成物がAl(R''')3（式中、Ａｌはアルミニウム原子であり、そしてＲ''' は、各々独立に、Ｃ1−Ｃ20ヒドロカルビル基およびＣ1−Ｃ20ヒドロカルビルオキシ基より成る群から選ばれる）で表されるアルミニウム化合物をさらに含んでいる、請求項２に記載の触媒組成物。
【請求項９】  Ｌが、各々独立に、Ｃ1−Ｃ20非置換ヒドロカルビル基、Ｃ1−Ｃ20ヒドロカルビルオキシ基より成る群から選ばれるか、または両Ｌ基が一緒になって非置換ヒドロカルビレン基を表す、請求項３に記載の触媒組成物。
【請求項１０】  Ｍがホウ素であり、Ｄがアリーレン基、縮合アリーレン基またはポリアリーレン基であり、Ｑが各々ペルフルオロヒドロカルビル基であり、そしてＴがシリカ高分子である、請求項１、２または３に記載の触媒組成物。
【請求項１１】  Ｍがホウ素であり、Ｄがアリーレン基、縮合アリーレン基またはポリアリーレン基であり、Ｑがペルフルオロヒドロカルビル基であり、そしてＴがシリカ高分子である、請求項４に記載の触媒組成物。
【請求項１２】  Ｍがホウ素であり、Ｄがアリーレン基、縮合アリーレン基またはポリアリーレン基であり、Ｑがペルフルオロヒドロカルビル基であり、そしてＴがシリカ高分子である、請求項５に記載の触媒組成物。
【請求項１３】  Ｍがホウ素であり、Ｄがアリーレン基、縮合アリーレン基またはポリアリーレン基であり、Ｑがペルフルオロヒドロカルビル基であり、そしてＴがシリカ高分子である、請求項６に記載の触媒組成物。
【請求項１４】  Ｍがホウ素であり、Ｄがアリーレン基、縮合アリーレン基またはポリアリーレン基であり、Ｑがペルフルオロヒドロカルビル基であり、そしてＴがシリカ高分子である、請求項７に記載の触媒組成物。
【請求項１５】  Ｍがホウ素であり、Ｄがアリーレン基、縮合アリーレン基またはポリアリーレン基であり、Ｑがペルフルオロヒドロカルビル基であり、そしてＴがシリカ高分子である、請求項８に記載の触媒組成物。
【請求項１６】  Ｍがホウ素であり、Ｄがアリーレン基、縮合アリーレン基またはポリアリーレン基であり、Ｑがペルフルオロヒドロカルビル基であり、そしてＴがシリカ高分子である、請求項９に記載の触媒組成物。
【請求項１７】  Catが式：
【化３】
2002526609.tif 000003
で表される遷移金属三座配位化合物のカチオン性残基を表す、請求項１に記載の触媒組成物：但し、上記の式において、
Ａは、各々独立に、酸素、窒素、燐または硫黄を表し；
Ｚは元素の周期律表第ＩＶ族または第ＶＩＩＩ族の遷移金属を表し；
Ｌは、各々独立に、水素、ハロ、置換および非置換ヒドロカルビル基より成る群から選ばれるアニオン性配位子基を表すか、両Ｌ基が一緒になって、Ｚと共に環状の環構造を構成しているヒドロカルビル基をあらわす；
各Ａ原子を互いのＡに結合している線はヒドロカルビレン基を表し；そして
各Ａ原子をＺに結合している線は供与結合または共有結合を表す。
【請求項１８】  Ａが各々窒素原子から選ばれ、Ｌが各々非置換ヒドロカルビル基、ヒドロカルビルオキシ基、ハロゲン原子およびそれらの混合物から選ばれるか、または両Ｌは、一緒になって、Ｚと共に３〜７員の環構造を形成しているヒドロカルビレン基を表す、請求項１７に記載の触媒。
【請求項１９】  ＺがＦｅ、Ｃｏ、Ｎｉ、Ｒｕ、Ｒｈ、Ｐｄ、Ｏｓ、Ｉｒ、Ｐｔ、Ｔｉ、ＺｒおよびＨｆより成る群から選ばれる、請求項１８に記載の触媒。
【請求項２０】  ＺがＮｉ、Ｐｄ、ＦｅおよびＣｏより成る群から選ばれる、請求項１９に記載の触媒。
【請求項２１】  ＺがＦｅおよびＣｏより成る群から選ばれる、請求項１９に記載の触媒。
【請求項２２】  ＺがＮｉまたはＰｄより成る群から選ばれる、請求項１９に記載の触媒。
【請求項２３】  Ｌが各々ハロゲン原子を表し、そして触媒組成物がAl(R''')3（式中、Ａｌはアルミニウム原子であり、そしてＲ''' は、各々独立に、置換および非置換Ｃ1−Ｃ20ヒドロカルビル基より成る群から選ばれる）で表されるアルミニウム化合物をさらに含んでいる、請求項１７に記載の触媒組成物。
【請求項２４】  Ｌが、各々独立に、Ｃ1−Ｃ20非置換ヒドロカルビル基、Ｃ1−Ｃ20ヒドロカルビルオキシ基より成る群から選ばれるか、または両Ｌ基が一緒になって結合しヒドロカルビレン基を表す、請求項１７または１８に記載の触媒組成物。
【請求項２５】  Ｍがホウ素であり、Ｄがアリーレン基、縮合アリーレン基またはポリアリーレン基であり、Ｑが各々ペルフルオロヒドロカルビル基であり、そしてＴがシリカ高分子である、請求項１７に記載の触媒組成物。
【請求項２６】  Ｍがホウ素であり、Ｄがアリーレン基、縮合アリーレン基またはポリアリーレン基であり、Ｑがペルフルオロヒドロカルビル基であり、そしてＴがシリカ高分子である、請求項１８に記載の触媒組成物。
【請求項２７】  Ｍがホウ素であり、Ｄがアリーレン基、縮合アリーレン基またはポリアリーレン基であり、Ｑがペルフルオロヒドロカルビル基であり、そしてＴがシリカ高分子である、請求項１９に記載の触媒組成物。
【請求項２８】  Ｍがホウ素であり、Ｄがアリーレン基、縮合アリーレン基またはポリアリーレン基であり、Ｑがペルフルオロヒドロカルビル基であり、そしてＴがシリカ高分子である、請求項２０に記載の触媒組成物。
【請求項２９】  Ｍがホウ素であり、Ｄがアリーレン基、縮合アリーレン基またはポリアリーレン基であり、Ｑがペルフルオロヒドロカルビル基であり、そしてＴがシリカ高分子である、請求項２１に記載の触媒組成物。
【請求項３０】  Ｍがホウ素であり、Ｄがアリーレン基、縮合アリーレン基またはポリアリーレン基であり、Ｑがペルフルオロヒドロカルビル基であり、そしてＴがシリカ高分子である、請求項２２に記載の触媒組成物。
【請求項３１】  Ｍがホウ素であり、Ｄがアリーレン基、縮合アリーレン基またはポリアリーレン基であり、Ｑがペルフルオロヒドロカルビル基であり、そしてＴがシリカ高分子である、請求項２３に記載の触媒組成物。
【請求項３２】  Ｍがホウ素であり、Ｄがアリーレン基、縮合アリーレン基またはポリアリーレン基であり、Ｑがペルフルオロヒドロカルビル基であり、そしてＴがシリカ高分子である、請求項２４に記載の触媒組成物。
【請求項３３】  活性オレフィン重合触媒を与え得る組成物であって、その活性オレフィン重合触媒が、
（ａ）式：
【化４】
2002526609.tif 000004
（式中、
Ａは、各々独立に、酸素、窒素、燐または硫黄を表し；
Ｚは元素の周期律表第ＩＶ族または第ＶＩＩＩ族の遷移金属を表し；
Ｌは、各々独立に、水素、ハロ、置換および非置換ヒドロカルビル基より成る群から選ばれるアニオン性配位子基を表すか、または両Ｌ基が一緒になって、Ｚと共に環状の環構造を構成しているヒドロカルビル基を表す；
各Ａ原子を互いに結合している線はヒドロカルビレン基を表し；そして
各Ａ原子をＺに結合している線は供与結合または共有結合を表す。）
で表される遷移金属二座配位化合物と、
（ｂ）式：
【化５】
2002526609.tif 000005
（式中、
Ctは、ブレンステッド酸塩の少なくとも１種のカチオン性残基、酸化性カチオン、カルボニウムイオンまたはシリリウムイオンを表し；
Ｔは無機酸化物を表し；
Ｓｉはケイ素原子を表し；
Ｒ′およびＲ″は、各々独立に、水素、非置換または置換Ｃ1−Ｃ20ヒドロカルビル基を表し；
Ｄは置換または非置換Ｃ1−Ｃ20ヒドロカルビレン基を表し；
Ｍはホウ素、アルミニウム、ガリウム、インジウム、タリウムおよびそれらの混合物より成る群から選ばれる原子を表し；
Ｑは、各々独立に、非置換または置換Ｃ1−Ｃ20ヒドロカルビル基を表し；
Ｏは酸素を表し；
ｎおよびｍは、ｎ×ａの積がｍ×ｂの積に実質的に等しくなるような各々正の整数であり；そして
ａおよびｂは１、２または３の整数である。）
で表されるメタロイド・シラン変性無機酸化物塩から成る前駆体イオン対
とを接触させることによって形成されたものである上記の組成物。
【請求項３４】  少なくとも１個のＡが窒素であり、そして残りのＡが窒素または酸素である、請求項３３に記載の触媒。
【請求項３５】  ＺがＦｅ、Ｃｏ、Ｎｉ、Ｒｕ、Ｒｈ、Ｐｄ、Ｏｓ、Ｉｒ、Ｐｔ、Ｔｉ、ＺｒおよびＨｆより成る群から選ばれる、請求項３４に記載の触媒。
【請求項３６】  ＺがＮｉ、Ｐｄ、ＦｅおよびＣｏから選ばれる、請求項３５に記載の組成物。
【請求項３７】  ＺがＦｅおよびＣｏより成る群から選ばれる、請求項３５に記載の組成物。
【請求項３８】  ＺがＮｉおよびＰｄより成る群から選ばれる、請求項３５に記載の組成物。
【請求項３９】  Ｍがホウ素であり、Ｄがアリーレン基、縮合アリーレン基またはポリアリーレン基であり、Ｑが各々ペルフルオロヒドロカルビル基であり、そしてＴがシリカ高分子である、請求項３３、３４、３５、３６、３７または３８に記載の組成物。
【請求項４０】  Ｔがシリカ高分子を表す、請求項３３、３４、３５または３７に記載の組成物。
【請求項４１】  Ｍがホウ素であり、Ｄがアリーレン基、縮合アリーレン基またはポリアリーレン基であり、Ｑが各々ペルフルオロヒドロカルビル基であり、Ｔがシリカ高分子であり、そして少なくとも１個のＬがハロゲン原子を表す、請求項３３に記載の組成物。
【請求項４２】  Ｍがホウ素であり、Ｄがアリーレン基、縮合アリーレン基またはポリアリーレン基であり、Ｑが各々ペルフルオロヒドロカルビル基であり、Ｔがシリカ高分子であり、そして少なくとも１個のＬがハロゲン原子を表す、請求項３４に記載の組成物。
【請求項４３】  Ｍがホウ素であり、Ｄがアリーレン基、縮合アリーレン基またはポリアリーレン基であり、Ｑが各々ペルフルオロヒドロカルビル基であり、Ｔがシリカ高分子であり、そして少なくとも１個のＬがハロゲン原子を表す、請求項３７に記載の組成物。
【請求項４４】  少なくとも１個のＬがハロゲン原子を表す、請求項３３に記載の組成物。
【請求項４５】  少なくとも１個のＬがハロゲン原子を表す、請求項３４に記載の組成物。
【請求項４６】  少なくとも１個のＬがハロゲン原子を表す、請求項３７に記載の組成物。
【請求項４７】  Ｌが各々非置換ヒドロカルビル基、ヒドロカルビルオキシ基、または両Ｌが一緒になってヒドロカルビレン基を表す、請求項３３に記載の組成物。
【請求項４８】  Ｌが各々非置換ヒドロカルビル基、ヒドロカルビルオキシ基、または両Ｌが一緒になってヒドロカルビレン基を表す、請求項３４に記載の組成物。
【請求項４９】  Ｌが各々非置換ヒドロカルビル基、ヒドロカルビルオキシ基、または両Ｌが一緒になってヒドロカルビレン基を表す、請求項３７に記載の組成物。
【請求項５０】  Ｌが各々非置換ヒドロカルビル基、ヒドロカルビルオキシ基、または両Ｌが一緒になってヒドロカルビレン基を表す、請求項３３に記載の組成物。
【請求項５１】  Ｌが各々非置換ヒドロカルビル基、ヒドロカルビルオキシ基、または両Ｌが一緒になってヒドロカルビレン基を表す、請求項３４に記載の組成物。
【請求項５２】  Ｌが各々非置換ヒドロカルビル基、ヒドロカルビルオキシ基、または両Ｌが一緒になってヒドロカルビレン基を表す、請求項３７に記載の組成物。
【請求項５３】  オレフィン重合触媒に活性化され得る組成物であって、そのオレフィン重合触媒が、
（ａ）式：
【化６】
2002526609.tif 000006
（式中、
Ａは、各々独立に、酸素、燐、窒素または硫黄を表し；
Ｚは元素の周期律表第ＩＶ族または第ＶＩＩＩ族の元素を表し；
Ｌは、各々独立に、水素、ハロおよび置換または非置換ヒドロカルビル基より成る群から選ばれるアニオン性配位子基を表すか、または両Ｌが一緒になって、Ｚと共に環状の環構造を構成しているヒドロカルビル基を表し；
各Ａ原子を互いに結合している線はヒドロカルビレン基を表し；そして
各Ａ原子をＺに結合している線は供与結合または共有結合を表す。）
で表される遷移金属三座配位化合物と、
（ｂ）式：
【化７】
2002526609.tif 000007
（式中、
Ctはブレンステッド酸塩のカチオン性残基、酸化性カチオン、カルボニウムイオンまたはシリリウムイオンを表し；
Ｔは無機酸化物を表し；
Ｓｉはケイ素原子を表し；
Ｒ′およびＲ″は、各々独立に、水素、非置換または置換Ｃ1−Ｃ20ヒドロカルビル基を表し；
Ｄは非置換または置換Ｃ1−Ｃ20ヒドロカルビレン基を表し；
Ｍはホウ素、アルミニウム、ガリウム、インジウム、タリウムおよびそれらの混合物より成る群から選ばれる原子を表し；
Ｑは、各々独立に、非置換または置換Ｃ1−Ｃ20ヒドロカルビル基を表し；
Ｏは酸素を表し；
ｎおよびｍは、ｎ×ａの積がｍ×ｂの積に実質的に等しくなるような各々正の整数であり；そして
ａおよびｂは１、２または３の整数である。）
で表されるメタロイドシラン変性無機酸化物塩から成る前駆体イオン対
との混合物を接触させることによって形成されたものである上記の組成物。
【請求項５４】  少なくとも１個のＡが窒素原子から選ばれ、そして残りのＡが窒素および酸素から選ばれる、請求項５３に記載の触媒。
【請求項５５】  ＺがＦｅ、Ｃｏ、Ｎｉ、Ｒｕ、Ｒｈ、Ｐｄ、Ｏｓ、Ｉｒ、およびＰｔより成る群から選ばれる、請求項５４に記載の触媒。
【請求項５６】  ＺがＮｉ、Ｐｄ、ＦｅおよびＣｏより成る群から選ばれる、請求項５５に記載の触媒。
【請求項５７】  ＺがＦｅおよびＣｏより成る群から選ばれる、請求項５５に記載の触媒。
【請求項５８】  ＺがＮｉおよびＰｄより成る群から選ばれる、請求項５５に記載の触媒。
【請求項５９】  Ｍがホウ素であり、Ｄがアリーレン基、縮合アリーレン基またはポリアリーレン基であり、Ｑがペルフルオロヒドロカルビル基であり、そしてＴがシリカ高分子である、請求項５３、５４、５５、５６、５７または５８に記載の触媒組成物。
【請求項６０】  Ｔがシリカ高分子を表す、請求項５３、５４、５５または５６に記載の組成物。
【請求項６１】  Ｍがホウ素であり、Ｄがアリーレン基、縮合アリーレン基またはポリアリーレン基であり、Ｑが各々ペルフルオロヒドロカルビル基であり、Ｔがシリカ高分子であり、そして少なくとも１個のＬがハロゲン原子を表す、請求項５３に記載の組成物。
【請求項６２】  Ｍがホウ素であり、Ｄがアリーレン基、縮合アリーレン基またはポリアリーレン基であり、Ｑが各々ペルフルオロヒドロカルビル基であり、Ｔがシリカ高分子であり、そして少なくとも１個のＬがハロゲン原子を表す、請求項５４に記載の組成物。
【請求項６３】  Ｍがホウ素であり、Ｄがアリーレン基、縮合アリーレン基またはポリアリーレン基であり、Ｑが各々ペルフルオロヒドロカルビル基であり、Ｔがシリカ高分子であり、そして少なくとも１個のＬがハロゲン原子を表す、請求項５７に記載の組成物。
【請求項６４】  少なくとも１個のＬがハロゲン原子を表す、請求項５３に記載の組成物。
【請求項６５】  少なくとも１個のＬがハロゲン原子を表す、請求項５４に記載の組成物。
【請求項６６】  少なくとも１個のＬがハロゲン原子を表す、請求項５７に記載の組成物。
【請求項６７】  Ｌが各々非置換ヒドロカルビル基、ヒドロカルビルオキシ基、または両Ｌが一緒になってヒドロカルビレン基を表す、請求項５３に記載の組成物。
【請求項６８】  Ｌが各々非置換ヒドロカルビル基、ヒドロカルビルオキシ基、または両Ｌが一緒になってヒドロカルビレン基を表す、請求項５４に記載の組成物。
【請求項６９】  Ｌが各々非置換ヒドロカルビル基、ヒドロカルビルオキシ基、または両Ｌが一緒になってヒドロカルビレン基を表す、請求項５７に記載の組成物。
【請求項７０】  Ｌが各々非置換ヒドロカルビル基、ヒドロカルビルオキシ基、または両Ｌが一緒になってヒドロカルビレン基を表す、請求項５３に記載の組成物。
【請求項７１】  Ｌが各々非置換ヒドロカルビル基、ヒドロカルビルオキシ基、または両Ｌが一緒になってヒドロカルビレン基を表す、請求項５４に記載の組成物。
【請求項７２】  Ｌが各々非置換ヒドロカルビル基、ヒドロカルビルオキシ基、または両Ｌが一緒になってヒドロカルビレン基を表す、請求項５７に記載の組成物。
【請求項７３】  １種または２種以上の付加重合性単量体を、請求項１、２、３、４、５、６、７、８、９、１７、１８、１９、２０、２１、２２、２３または２５に記載の担持触媒組成物と接触させる付加重合法。
【請求項７４】  １種または２種以上の付加重合性単量体を、請求項３３、３４、３５、３６、３７、３８、４１、４２、４３、４４、４５、４６、４７、４８、４９、５０、５１、５２、５３、５４、５５、５６、５７、５８、６１、６２、６３、６４、６５、６６、６７、６８、６９、７０、７１または７２に記載の触媒前駆体組成物およびAlR3（式中、Ａｌはアルミニウム原子を表し、Ｒは、各々独立に、Ｃ1−Ｃ20ヒドロカルビル基またはＣ1−Ｃ20ヒドロカルビルオキシ基を表す）で表されるヒドロカルビルアルミニウム化合物と接触させる付加重合法。